(57)【要約】【課題】患者に投与する治療用薬物の放出量を制御して薬効の即効性や徐放性の機能を備え、かつ、薬物を長期間にわたって継続して投与することを可能にする等、患者の体内に投与される薬物の量を経時的に簡便に制御可能にした施薬装置を提供する。【解決手段】施薬装置１を構成する有機材料製の成形体２に、プラズマ処理で細孔や凹凸５を有したプラズマ処理部を形成し、このプラズマ処理部で疾病治療や防疫のための薬物４を保持させる施薬方法およびその装置。【選択図】            図１
2004215774.tif 000002
【特許請求の範囲】
【請求項１】
薬物を成形体で保持して体内に投与するようにした施薬装置において、該装置の成形体は、プラズマ処理によって材料の少なくとも一部が除去されたプラズマ処理部を備え、該プラズマ処理部に疾病治療や防疫用の薬物を保持していることを特徴とする施薬装置。
【請求項２】
前記成形体のプラズマ処理部には、細孔や凹凸形成の深さを変えてプラズマ処理が施され、該プラズマ処理部には、疾病治療用の薬物が、薬物の厚みを変えて保持されていることを特徴とする請求項１に記載の施薬装置。
【請求項３】
前記薬物を保持した成形体は、プラズマ処理部を有する多数の粒状の素材で構成された成形体であることを特徴とする請求項１又は請求項２のいずれかに記載の施薬装置。
【請求項４】
前記成形体は、治療等の薬物を成形体の外へ放出する量を制御する制御機構を有していることを特徴とする請求項１乃至請求項３のいずれかに記載の施薬装置。
【請求項５】
成形体にプラズマ処理部を設け、該プラズマ処理部に治療用薬物又は防疫用薬物と該薬物を成形体の外へ放出する量を制御する制御機構とを備え、該成形体で前記薬物を患者などの体内に投与するようにした施薬方法。
【請求項６】
薬物を成形体で保持して体内に放出するようにした施薬装置において、前記成形体は、プラズマ処理によって形成された多数の小孔や凹凸を備えた天然有機化合物を有し、これらの小孔や凹凸で疾病治療又は防疫用の薬物を保持していることを特徴とする施薬装置。
【発明の詳細な説明】
【０００１】
【発明の属する技術分野】
本発明は、薬物を成形体で保持して、患者や使用者（以下患者等ともいう）の皮膚や粘膜、例えば、鼻腔や口腔内粘膜、口腔から大腸に至る消化器官の粘膜や直腸粘膜を介して患者等の体内或いは患部で機能的に薬物を放出し、この薬物を体内に吸収させることより、治療や防疫（以下単に治療等ともいう）を行なう施薬方法及びその装置に関する。
【０００２】
【従来の技術】
患者等の皮膚（表皮）や粘膜、例えば、目、鼻腔、口腔、肺、膣、直腸等（以下これらを総称して単に皮膚や粘膜ともいう）を介して体内の血液中に薬物を投与したり、皮膚を介して患部に薬物を投与する施薬装置には、一般にテープ剤、パッチ剤、液状剤、軟膏剤、粉剤、ローション剤、の他に、カプセル剤や錠剤等がある。
【０００３】
最近では、薬物を経皮及び経粘膜で投与するための施薬装置の開発が進む一方、このような施薬装置によって患者等に投与される薬物の種類も増大し、例えば、皮膚を介する吸収薬物として、インドメタシン、ニトログリセリン、硝酸イソソルビド、フェンタニル、エストラジオール、ニコチン、スコポラミン、ツロブテロールを使用した消炎鎮痛剤、癌性疼痛剤、ホルモン剤、気管支拡張剤、血管拡張剤等の薬物が用いられつつある。
【０００４】
しかし、表皮や外皮等ともいわれる皮膚は、体内を外部環境から保護する機能を有しているので、従来の施薬装置のように、単純に表皮の表面に薬物を貼付するだけの施薬装置では、例えば、薬物の分子量の大きさ等により、患者等の表皮（皮膚）を経由して体内に投与し、薬物の血中濃度等をコントロールすることは難しい。
【０００５】
また、薬物の種類、皮膚や粘膜の状態、患者等の体重等によって、治療等の薬物を、必要量、体内に吸収させる量が異なるなど、施薬装置から患者等の体内に安定的に薬物の投与を可能にすることは難しく、薬物放出量を制御して必要な薬物を体内に投与する簡便な構成の施薬装置はない。
【０００６】
このために、従来の施薬装置に使用される経皮薬物や経粘膜薬物は、比較的安全性の高い薬物に限られ、薬物によっては、必要な薬物を体内に安定的に投与できない等、経皮及び経粘膜施薬に使用できる薬物の種類に制限があった。
【０００７】
また、従来の施薬装置では、皮膚や粘膜の状態、例えば、外傷や疾病等による異常状態、食事の影響等により、施薬装置の使用中に不必要に多量の薬物が体内に投与されて体内の薬物血中濃度を急激に変化させ、不安定な量の薬物の投与によって副作用の発現が高まったりすることは避け難く、薬物の投与が長期間にわたって継続されるようにしたり、薬物の放出の時期や患者等の体内に投与される薬物の量を経時的に簡便に制御できるような施薬装置もなかった。
【０００８】
【発明が解決しようとする課題】
本発明は、治療等に用いられる薬物を成形体に保持させ、患者などの体内或いは患部で薬物を放出し、体内に吸収させる際に、内外環境の影響を少なくして、薬物の放出量を経時的に制御し、或いは、長時間の薬物放出の継続を可能にした、いわゆるドラッグデリバリシステム（以下ＤＤＳともいう）機能を備えた施薬装置を提供するものである。
【０００９】
【課題を解決するための手段】
請求項１に記載の発明は、薬物を成形体で保持して体内に投与するようにした施薬装置において、該装置の成形体は、プラズマ処理によって材料の少なくとも一部が除去されたプラズマ処理部を備え、該プラズマ処理部に疾病治療や防疫用の薬物を保持していることを特徴とする施薬装置である。
【００１０】
プラズマ分解性有機材料を有する成形体にプラズマ照射（プラズマ処理）が施されたとき、プラズマ照射側に露出しているプラズマ分解性有機材料の表面は、プラズマによる加熱分解や気化によって、エッチングするようにして除去（以下蝕刻、除去ともいう）され、照射部に多数の細孔や微少な凹凸を有したプラズマ処理部が形成される。
【００１１】
すなわち、プラズマ分解性有機材料の表面にプラズマ照射がなされると、プラズマ分解性有機材料の高分子鎖も切断されて、照射された表面部分の材料は、部分的に蝕刻、除去され、その後には、除去された材料の下のプラズマ分解性有機材料が新しく表面に露出する。この有機材料の新表面に、再びプラズマが照射されればその部分の材料が除去される。このようにしてプラズマ照射量が増えれば、材料の加熱分解や気化による蝕刻、除去が繰り返され、処理時間が長くなると、このようなプラズマ処理のエッチング効果によって、次々と形成される凹陥部が深くなったり、凹陥部が相互に連続するようにして、複雑な形状や入り組んだ表面を有する凹凸や細孔（以下これらを凹凸や細孔ともいう）が形成される。
【００１２】
請求項１に記載の発明は、このような成形体のプラズマ処理部に薬物を保持させた施薬装置である。成形体の表面には、プラズマ処理によって多数の細孔や凹凸が不規則に形成されており、この細孔や凹凸によって薬物と接触する表面を拡大し、成形体と薬物との化学的な親和力や分子間力を増大させている。
【００１３】
すなわち、プラズマ処理された成形体の表面は、成形体を構成する分子と薬物との分子間相互作用が働き易くなり、これにより、成形体による薬物の保持を容易にし、該プラズマ処理部に形成された薬剤層の保持機能や薬物放出量の制御機能を強化することができる。
【００１４】
また、プラズマ処理部を備えた成形体によって薬物を保持させれば、種々の形態や構造の施薬装置を作ることができ、プラズマ処理部の薬剤層や成形体の形状を利用して患者等の体内に投与する薬物の量を時間的に調節して、早期に薬効が現れるように薬物の放出量を制御し、（即効性ともいう）、施薬装置の使用後に、徐々に薬効が現れるように薬物の放出量を制御する（徐放性ともいう）等の機能を付与させることができる。
【００１５】
また、皮膚や粘膜経由で薬物を投与可能な成形体を用い、飲下可能な成形体と薬物とを組合わせて消化器官を経由して薬物を投与するようにしたり、或いは、施薬装置を皮膚の下に埋め込んで長期間にわたり体内の薬物濃度を一定に保つようにするなど、患者等の体内へ安定して薬物の投与ができるのみならず、薬効の発現や薬効の継続時間を制御するようなＤＤＳの機能を備えた施薬装置を提供することもできる。
【００１６】
請求項２に記載の発明は、請求項１に記載の発明の成形体のプラズマ処理部に、細孔や凹凸形成の深さを変えてプラズマ処理が施され、該プラズマ処理部には、疾病治療用の薬物が、薬物の厚みを変えて保持されていることを特徴とする施薬装置である。
【００１７】
請求項２に記載の発明では、薬剤を保持する成形体のプラズマ処理部が、相互に高低量（基準を変えれば、細孔や凹凸の深浅量と同義である）の異なる凹凸群や相互に深さ或いは大きさの異なる細孔群を有するようにして形成される。
【００１８】
成形体による薬物の保持は、成形体のプラズマ処理部へ薬物を含浸させ、展着する時の薬物の粘度等、薬物の物理的性質のみならず、成形体を構成する有機材料の分子と成形体に保持される薬物の分子との間に生じる相互作用、すなわち、種々の分子間力によって生じる結合力によっても変わるものである。
【００１９】
成形体のプラズマ処理部に形成される細孔や凹凸の深さを変えるように制御してプラズマ照射をされたプラズマ処理部では、薬物を保持させる必要に応じた強固な薬物保持面をプラズマ処理による細孔や凹凸によって確保することになり、このようにして得られたプラズマ処理部を用いると、プラズマ処理部では薬物の厚みを厚く、その他の部分では、薬物の厚みを薄くなるようにする等、成形体に形成する薬剤層の厚みを部分的に変えて、一層効果的に薬物を保持させ屡事ができる。
【００２０】
また、深さの深い細孔や凹凸では、保持する薬物量を増大する（薬剤層を厚くする）こともでき、深さを深くした細孔や凹凸に保持された薬物や厚みを厚くして形成された薬剤層では、薬剤層の表面側から放出された薬物成分を、薬剤層の深奥や細孔や凹凸の底部から拡散によって補給させ、施薬装置に長期間にわたる薬物放出の機能を付与することができる。
【００２１】
さらにまた、細孔や凹凸の深さの差を利用して複数の薬剤層を形成するときは、施薬装置による薬物放出の開始から一定時間が経過し、表層部の薬物の成分が放出された後とか、特定の条件が整ったときにプラズマ処理部の内奥の薬剤層の薬物成分の放出が開始されるようにする等、薬物放出時間の制御機能を備えた施薬装置を提供することができる。
【００２２】
さらにまた、成形体を形成する前の素材段階でプラズマ処理を施し、プラズマ処理部を有する材料を用いて成形体を作れば、成形体の内奥部に容易にプラズマ処理部を形成できることになり、このような成形体を用いて薬物を保持すれば、薬物は成形体の内奥のプラズマ処理部によっても保持される。
【００２３】
このようにして成形体の内奥に形成されたプラズマ処理部を利用すれば、薬剤層の厚みを変え、複数の薬剤層を有する施薬装置にすることができる。
【００２４】
このようにして、所期の薬効や、薬効の継続性を保つ薬剤層或いは薬効の即効性や徐放性の機能を付与できる薬剤層を形成し、かつ、薬剤層の厚みや広さを適宜選定することによって即効性や徐放性のみならず薬物の放出量の制御、薬効の時間的な継続性の制御を行ない、治療等の目的や使用する薬物の種類に合致した施薬装置を提供することができる。
【００２５】
また、薬物の種類に対応した薬剤層の厚み、または、薬物が皮膚や粘膜等に当る部分によって薬剤層の厚みを変えるようにして成形体に薬物を保持させた施薬装置とするときは、例えば、施薬装置を使用する患者等毎に、その使用期間中における薬物の効率的な投与量を個別に調節し、加工した施薬装置を提供することもできる。
【００２６】
請求項３に記載の発明は、請求項１又は請求項２のいずれかの発明に記載の成形体が、プラズマ処理部を有する多数の粒状の素材で構成された成形体であることを特徴とする施薬装置である。
【００２７】
請求項３に記載の発明によれば、薬物を保持する成形体が、プラズマ処理部を有する多数の粒状の素材で構成された成形体であり、粒状の素材のプラズマ処理部による薬物の保持において、請求項１又は請求項２に記載の発明のようにしてプラズマ処理部や薬剤層を形成し、薬物を保持させて、薬物の保持機能や薬物放出量の制御機能をさらに強化した施薬装置となるものである。
【００２８】
粒状の素材にプラズマ処理を施して薬物を保持した施薬装置は、成形体の薬剤層の表面が、平板状の薬剤層と比較して、より広い薬物表面を形成できる。成形体の単位質量当りの表面積は、成形体の粒の大きさが小さいほど広くなり、この表面に形成する薬剤層の面積も広くなるので、成形体の粒の大きさや形の設定によって、即効性や徐放性のみならず薬物の放出量（薬効の制御）や薬効の時間的な継続性を一層容易に制御でき、これにより、多様性に富んだ施薬装置を提供することができる。
【００２９】
また、多数の粒状素材のプラズマ処理部で薬物を保持して施薬装置を構成すれば、成形体を患者等に飲下（飲み込み）させ、消化器官を経由して薬物を体内に投与したり、施薬装置を皮下に埋め込んで長期間にわたる薬物の投与を保つのに好適な施薬装置を提供することもできる。
【００３０】
このとき、粒状の素材に形成されたプラズマ処理部の薬剤層の厚みを部分的に変えて薬物を保持させれば、上述した粒状素材によって構成された成形体による薬物の保持機能や薬物放出量の制御機能を更に強化した施薬装置とすることができる。
【００３１】
また、例えば、粒状の素材で構成された成形体の大きさを変え、種々の大きさの成形体で薬物を保持させるときは、小さな成形体は、飲下後、早い時間に消化され、この成形体で保持されていた薬物は口腔から胃に至る粘膜で吸収される。
一方、大きな成形体は、飲下後消化されるまでの時間が長くかかるために、大きな成形体の内部の薬物が消化器官内で放出されるには、やや時間がかかることとなり、大きい粒状の素材で構成された成形体で保持されていた薬物は、腸に至る粘膜で吸収されるように薬物が放出される時間を変える制御を容易に実現した施薬装置を提供することができる。
【００３２】
請求項４に記載の発明は、請求項１乃至請求項３のいずれかの発明に記載の成形体が、治療等の薬物を成形体の外へ放出する量を制御する制御機構を有していることを特徴とする施薬装置である。
【００３３】
プラズマ処理部で保持された薬物を成形体の外へ放出する量を制御する制御機構には、薬剤層の外側に設ける特殊な皮膜、成形体の外側へ薬物を放出する量を制御する制御薬物、或いは、成形体に装着する特殊な放出量の制御装置などがある。
【００３４】
このような制御機構を用いることにより、設定された時間に薬物の投与が開始されその後、継続的に薬物の投与が維持され、体内の特定の部位で薬物を放出させたり、薬物の放出の量を変えることにより、薬効の即効性や徐放性およびその時間や薬効の継続性等を直接、間接に制御し、ＤＤＳに一層好適な施薬装置を提供することができる。
【００３５】
例えば、薬剤層の外側に設ける特殊な皮膜としては、薬剤層の外側に消化性の良い有機材料性があって糖質の皮膜を用いれば、患者等に飲下し易く、飲下後、皮膜の消失とともに、口腔や消化器官内で薬物放出を開始するような施薬装置にすることができる。
【００３６】
また、例えば、口腔から飲下させるように薬物を保持させた成形体を有する施薬装置において、薬剤層の外側に形成される皮膜に水溶性又は易消化性の材料を用い、皮膜の厚みを変えて消化の割合の異なる組成の皮膜が形成されるようにコーティングをすれば、消化器官の中における消化の割合を異なるようにして皮膜が形成された施薬装置となる。
【００３７】
この施薬装置は、患者等が飲下した後、胃の作用で皮膜が消化され、胃部で主に薬物放出をする成形体と、小腸部に至って主に薬物を放出する成形体とを備えた施薬装置にすることができる等、外側の皮膜によって消化器官の特定の部位で薬物が放出されるように薬効の時間的な制御ができる施薬装置と、薬物放出量の制御機能を一層向上させた施薬装置として提供することができる。
【００３８】
また、種々の有機材料と大きさの異なる粒状の素材で構成した成形体のプラズマ処理部に、薬物の量や層の厚みを調整した薬剤層を形成し、該薬剤層の外側に有機材料で作られた皮膜を形成し、この成形体を適当な液状媒体に分散させ、例えば、粥状の施薬装置に構成し、患者等の口腔に含ませたり飲下させれば、飲下した後、一定時間経過したとき、或いは、温度や酸性度、更には、消化酵素の働きなどの特定の条件が整ったときに薬剤層の外側の皮膜が除かれて薬物が放出され、消化器官等の粘膜経由で薬物の投与が開始されたり、或いは、施薬装置から薬物の放出が開始された後、その施薬装置の使用期間中を通じて薬物の放出を継続させ、薬物の投与量を制御することが可能な施薬装置を提供できる。
【００３９】
なお、このような制御機構としての薬物は、必ずしも皮膜である必要はない。成形体の構造によっては、薬剤層の外側に部分的に付着しているような構成でも薬物の投与制御の機能を有する。
【００４０】
成形体の外側へ薬物を放出する量を制御する制御機構として、例えば、患者等の皮下への埋込後の一定時間後に消失するような有機材料で形成された皮膜コーティングや、成形体のプラズマ処理部で保持された薬剤層の外側に、部分的に体内消失性の有機材料の制御薬剤層を部分的に形成し、この断片的な制御薬剤層の厚さや面積を変えれば、体内において成形体から放出される治療等の薬物の量は、制御薬剤層によって遮られるので、当初は、少ない薬効を呈する。
【００４１】
その後に制御薬剤層が消失するに従って、治療などの薬物が成形体の外へ放出される量が増大するようになるなど、制御薬剤によって、治療等の薬効の即効性や徐放性の機能を制御薬剤によって付与し、薬効の時間的な継続性を調整するような制御をし、施薬装置を使用する患者等毎に、その使用期間中における薬物の効率的な投与量を個別に調節、加工したテーラーメード型の施薬装置を提供することもできる。
【００４２】
さらにまた、このような制御機構は皮膜や薬物に限らない。成形体の構造によっては、薬剤層に設けられたマイクロ装置によってでも成形体に薬物の投与制御の機能を付与することができる。
【００４３】
例えば、成形体が、表皮（外皮）に埋め込んで使用されるような構成であるときは、紫外線や加熱による温度で薬剤層の保護カプセルの作動が作動したり、薬剤層の保護皮膜が消失するように作動する機構を備えた成形体を用いて、保持し薬物の放出や体内投与の量を制御するようにしたものでも良い。
【００４４】
また、例えば、成形体が、飲下されて消化器官の皮膚や粘膜等経由で体内に投与されるような構成であるときは、内臓諸器官の条件によって酵素反応が起こり、薬物を保護していた皮膜が破壊されて薬物の投与を開始させるようにしても良い。
【００４５】
或いはまた、超音波や外部からの物理的な刺激に反応して薬物を保護していた皮膜を破壊するような機構を働らかせて、成形体に保持された薬物の放出が開始され、薬物の放出量が制御されるマイクロ装置を設けても良い。
【００４６】
このような制御装置を有した施薬装置によれば、皮下への埋込や、飲下するなどして患者等に施薬装置で薬物を投与してから、一定の時間が経過したとき、或いは、成形体が飲下されて、消化器官の特定の場所に移動したときに制御装置を作動をさせて、成形体に保持された薬物の放出を開始させ、薬物の放出量を制御して、必要な薬効を発揮させ、ＤＤＳに好適な施薬装置を提供することができる。
【００４７】
請求項５に記載の発明は、成形体にプラズマ処理部を設け、該プラズマ処理部に治療用薬物又は防疫用薬物と該薬物を成形体の外へ放出する量を制御する制御機構とを備え、該成形体で前記薬物を患者などの体内に投与するようにした施薬方法である。
【００４８】
請求項５に記載の発明によれば、成形体にプラズマ処理を施してプラズマ処理部を形成した後、そのプラズマ処理部に治療や防疫用の薬物を備え、このような構造で薬物を保持した成形体を患者等の、皮膚や粘膜経由、皮下の埋め込み、飲下等によって治療等の薬物を体内に投与するようにした施薬方法なので、この方法によれば、薬物の即効性や徐放性等の薬物放出機能をより効果的に調整し、或いは、成形体から薬物放出や薬効の時間的な継続性をより簡便に制御する等、従来の施薬装置よりも効果的で、かつ、簡便な種々の薬効調整や施薬制御の機能を発揮するＤＤＳを実現することができる。
【００４９】
また、この発明のような施薬方法によれば、例えば、プラズマ処理部で保持する薬物の量を大幅に増大する等、一層効果的に薬物を保持させることも可能となる。
【００５０】
このような薬剤層や成形体を備えた施薬装置を治療等に使用する時は、長時間にわたる安定した薬物放出機能を付与し、安定した薬物の投与が可能になる。
【００５１】
また、患者等に投与する薬物の投与量を時間的に調節して、薬効の即効性の機能を付与すること、逆に、薬効の徐放性が現れるようすることなど、薬物の保持機能や薬効調整機能を強化した種々のＤＤＳ用の施薬装置を実現させることができる。
【００５２】
また、例えば、プラズマ処理部で保持した薬剤層によって薬物を投与し、その後も、施薬装置の使用期間を通じて薬物の効率的な投与量を制御し、疾病の容態毎に、個別に調節した量の薬物を安定的に放出するようなテーラーメード型のＤＤＳ機能を付与した施薬装置を実現させることができる等、従来のこの種の施薬装置と比較して多様性に富み、薬物放出機能を強化或いは薬効の継続性を高めた施薬を実現することができる。
【００５３】
請求項６に記載の発明は、薬物を成形体で保持して体内に放出するようにした施薬装置において、前記成形体は、プラズマ処理によって形成された多数の小孔や凹凸を備えた天然有機化合物を有し、これらの小孔や凹凸で疾病治療又は防疫用の薬物を保持していることを特徴とする施薬装置である。
【００５４】
請求項６に記載の発明によれば、治療等の薬物が成形体に備えられた多数の細孔部や凹凸部によって多量の治療用の薬物を安定して保持することができ、治療対象部では多量の薬物を速やかに放出し、或いは、制御して放出することができる施薬装置を提供するものである。
【００５５】
また、例えば、成形体を形成する材料に、飲食可能な天然有機化合物を用いて成形体を形成すれば、成形体が消化器官内で消化される割合に応じて、治療用の薬物が放出され、消化器官の粘膜経由で体内に吸収されるようにすることができる。
【００５６】
このときに、該成形体の大きさや、成形体にプラズマ処理量で小孔や凹凸の量を調整することによって、成形体が消化器官内で消化される割合を調整することが可能となる。プラズマ処理量によって形成される小孔や凹凸の量は、薬物放出が実質的に始まる消化器官内の場所を調整したり、薬物放出が継続される時間や施薬装置から放出される薬物の量を制御するものであり、例えば、腸内において主に薬物が放出され、腸粘膜を経由して薬物が体内に投与されるように調整する等、消化器官の粘膜経由で薬物を効率よく体内に吸収させるような施薬装置を提供することができる。
【００５７】
【発明の実施の形態】
以下に本発明による施薬装置の代表的な実施例について説明をする。
【００５８】
（実施例１）    成形体を構成する材料として、約３００平方センチメートルの広さの表面を有するシート状のポリプロピレン材を用いる。このシート状のポリプロピレン材をベルジャー内に入れ、酸素圧力１３Ｐａ、５０Ｗで１２分間の酸素プラズマ処理を施すことによってポリプロピレンシート（成形体）の表面に多数の細孔及び細孔の集合によって作られる細孔や凹凸等を有するプラズマ処理部を形成する。
【００５９】
プラズマ処理の時間が、７分経過した頃から、シートの表面の分解、蝕刻（分解除去）が始まり、次第に凹凸が深化し、拡大される。１２分処理では、成形体の表面には、深さ０．２ｍｍ乃至０．３ｍｍの凹凸を有するプラズマ処理部の形成が確認された。
【００６０】
プラズマ処理された成形体は、少なくともプラズマ処理部の細孔や凹凸の表面部だけは、その表面積が拡大され、このプラズマ処理部と薬物とが相互に接触結合する部分が広がるので、薬物が安定して成形体に保持できるようになる。
【００６１】
一方、成形体に保持される薬物は、上述したように、従来から使用されているインドメタシン、ニトログリセリン、硝酸イソソルビド、フェンタニル、エストラジオール、ニコチン、スコポラミン、ツロブテロール等の薬物が使用されるが、治療等の目的に応じてその他、種々の薬物が使用できる。
【００６２】
薬物は、薬物そのものの形で使用しても良いが、例えば、水又はアルコール等の有機溶媒を溶剤とし、保水性基剤と共に混和した基剤中に薬物を分散するようにして調剤した形でも使用される。
【００６３】
この調剤において、水分保持や、保水性基剤が必要なときは、カオリンやグリセリン、ポリアクリル酸、メチルセルロース、カルボキシメチルセルロース等が用いられる。また、必要に応じて油脂や樹脂、界面活性剤、吸収助剤、防腐剤や保存剤等を基剤に含ませ、液泥状、半流動体状或いは液状に薬物を調剤する。更に又、成形体を構成する有機材料と薬物とのなじみが悪い特性の時は、成形体による薬物の保持力を高めるために、粘着剤を添加して薬物を調剤するようにしてもよい。
【００６４】
調剤された薬物は、液状、液泥状、半流動体状等、種々の状態で成形体に塗布、含浸させるようにして保持される。薬物が薬物事体或いは、調剤のいずれの状態であっても、概念的には、塗布展着等、成形体の表面のプラズマ処理部に薬物が保持され、薬剤層が形成されるようにして薬物が保持される。
【００６５】
成形体のプラズマ処理面で薬物を保持させて薬剤層を形成し、その後に、薬剤層が流出しない程度の硬さに乾燥硬化処理をして、所期の薬効を備えた施薬装置を提供する。
【００６６】
この場合に、成形体で保持した薬物の薬効に徐放性を備えさせたり、薬効の継続時間を増やした施薬装置とするときは、例えば、通常よりも多いプラズマ処理量のプラズマ照射を成形体に施す。
【００６７】
同じプラズマ分解性の材料の成形体に対して、プラズマ処理量を増やして加工されたプラズマ処理部では、プラズマ処理によって形成される細孔や凹凸の量が多く、また、深さも深くなる。
【００６８】
このようなプラズマ処理部を有する成形体を用いた施薬装置は、プラズマ処理された成形体の表面が、成形体を構成する分子と薬物との分子相互作用を生じ易くなり、この分子間力によって、成形体と薬物との二次化合物や複合体を形成すると考えられ、細孔や凹凸の量が多く形成された分だけ多くの薬物を保持し、細孔や凹凸が深く形成された分だけ薬剤層の厚みを厚くして薬物を保持することができる。
【００６９】
成形体に保持された厚さの厚い薬剤層は、その厚み分だけ多量の薬物を保有し、薬物補給層として機能することになり、これによって薬効が長時間にわたって継続される施薬装置にすることができる。
【００７０】
さらにまた、プラズマ照射の過程で、成形体を移動させてプラズマの照射位置を変え、成形体の一部をマスクしてプラズマ処理をするなどして、成形体の表面に照射するプラズマ処理量を成形体の場所によって違える加工も行なわれる。
【００７１】
薬物を投与する身体の部位や患部の状態に応じて、プラズマ処理による細孔や凹凸の深さを部分的に深くし、細孔や凹凸の量を調整するような加工を施したプラズマ処理部を有し、このプラズマ処理部で薬物を保持させた成形体は、上述のように即効性や徐放性或いは、成形体の薬剤層から患者等の皮膚や粘膜に放出される薬物量或いはこの成形体に保持された薬物によって奏される薬効の継続する時間（以下これらをまとめて薬物投与機能ともいう）調整することが可能になる。
【００７２】
このようにして本発明の施薬装置は、プラズマ分解性の有機材料の成形体のプラズマ処理部で治療目的に応じた薬物を保持し、薬物投与量や薬効の発現する時間を調整しつつ薬物を放出させるようなＤＤＳ機能を有した施薬装置を提供することができる。
【００７３】
なお、成形体を構成する材料としては、プラズマ照射をして細孔や凹凸が形成され、身体に使用して弊害を生じないような材料であれば、各種の有機材料を使用することができる。
【００７４】
また、成形体が小さな粒状の成形体のときは、顆粒剤や散剤の剤形の施薬装置、成形体を流動性のある媒体中に混在させた懸濁剤、乳剤等の剤形の施薬装置、或いは、ゾル状の媒体中に保持させたパップ剤、硬膏剤等の剤形の施薬装置で使用される。
【００７５】
さらにまた、成形体となる不織布や織布の厚みが薄いときは、プラズマ処理を施した複数枚の同様な不織布や織布を積層して所期の厚みの成形体にし、プラズマ処理を複数回に分けて施し、細孔や凹凸のプラズマ処理部を多重に形成し、これによって、厚さの厚い薬剤層を保持させるようにしても良い。
【００７６】
（実施例２）    図１は、本発明による施薬装置の一例をモデル的に示す断面図である。
【００７７】
図１において、１は施薬装置であり、該施薬装置１は、木綿繊維を混織して得られた織布で構成された平板状の成形体２と、該成形体２の少なくとも一部に設けられたプラズマ処理部３と、このプラズマ処理部３に保持された薬物４とを有している。
【００７８】
施薬装置１は、治療を受ける患者等の表皮（皮膚）に貼付したり、皮下に埋め込んだり、口腔に含ませる、或いは、肛門から挿入することにより、施薬装置の薬物を皮膚や、口腔或いは直腸の粘膜を経由して体内に投入するようにした装置である。
【００７９】
プラズマ処理部３は、治療等の目的に応じた薬物を保持できるように、例えば、実施例１で説明したようなプラズマ処理によって成形体に細孔や凹凸５を形成された部分の総称として用いられる。
【００８０】
形成されるプラズマ処理部３の平面形状は図示されていないが、施薬装置１を使用する目的、治療を受ける患者等の健康状態、施薬装置１を構成する成形体２の形状に応じて、例えば矩形、円形、立体形状その他、治療に適合した形状に形成される。
【００８１】
プラズマ処理部３の面積及び細孔や凹凸５の深さは、成形体２によって保持される薬物４の量や薬剤層６の厚みに関係する。薬剤層６の表面積や厚み或いは薬物量は、薬効の速さや薬効の継続時間に関係し、薬剤層６の厚みや薬物量の調整によって、制御された薬効等を備えた施薬装置にすることができる。
【００８２】
なお、施薬装置１に形成する薬剤層６の厚さは、薬物４の粘度にもよるが、数ｍｍよりも厚いときは、施薬装置１を使用している患者等の日常的な活動状況によっては、薬物が施薬装置の外に流出してしまうおそれもあるので数ｍｍ以下の厚さの薬剤層にするのが好ましい。
【００８３】
また、薬剤層６は、プラズマ処理部３及び成形体２の表面の中のプラズマ加工を施されていない部分７の両部にわたって形成されるようにしても良い。
【００８４】
すなわち、薬剤層６は、成形体２にプラズマ処理を施して形成されたプラズマ処理部３に保持された薬剤層６ａとプラズマ処理部３の周辺の（プラズマ処理を施していない）表面部７に展着された薬剤層６ｂとから構成されている。
【００８５】
成形体２の表面の中、プラズマ処理を施した部分に展着された薬剤層６ａは、プラズマ処理を施してない部分の薬剤層６ｂより、プラズマ処理の細孔や凹凸等の加工深さ分だけ分子間力も強まり、かつ、薬剤層６の厚さが厚くなっている。
【００８６】
なお、後述するように、成形体２は、施薬装置１を使用する場所や施薬装置の取り扱いの便宜のために、プラズマ処理部３を有する複数枚のシート状の織布を積層し、粒状、その他の立体形状の成形体２にしてもよい。
【００８７】
この発明の施薬装置は、成形体２のプラズマ処理部３によって薬物４が保持される構造となっているので、各種の幅広い粘性の範囲において、薬物４の保持力が強化され、粘着力が弱い薬物についても比較的容易に成形体２に保持させることができる。
【００８８】
また、薬物４の種類によっては、粘着剤を用いないで、薬物４をそのまま成形体２に保持させることができる。さらに、薬物４を成形体２に保持させるために粘着剤を使用するようなときも、プラズマ処理部３が形成されて保持力を強化させた分、粘着剤の必要性が減少し、その分、薬物と併用できる粘着剤の選択肢が増える等、従来と比較して、使用できる治療用薬物の種類や薬物の適用幅を拡大した施薬装置を提供することができる。
【００８９】
また、成形体２に用いられている有機材料の種類や成形体の構造とプラズマ処理の種類或いはプラズマ処理量とを適宜選択して組合せ、成形体２に形成される細孔や凹凸５の量や大きさ或いはその深さを調節することにより、薬物４とのなじみ度や結合力を調整して薬物４の保持力や薬剤層６の形成状態を変えることも可能となる。
【００９０】
また、薬剤層６ａ、６ｂの構成を有する施薬装置１は、その使用初期には、薬剤層６ａ及び薬剤層６ｂから薬物成分が放出され、多量の薬物を供給する機能を備えている。
【００９１】
施薬装置の使用を開始した後、しばらく経って、薬剤層６ｂ（薬剤層６ｂの厚さは、薬剤層６ａの厚さよりも厚さが薄い）から浸出する薬物成分が次第に減少してくるに従って、薬物の供給量、すなわち、施薬装置１から放出される薬物の量が減少し、施薬装置１全体としての薬効も低下してくるが、このようなときには、薬剤層６から放出された薬物成分の一部は、プラズマ処理部３の細孔や凹凸５に保持されている薬剤層の内奥部から拡散によって補給されるようにすることができる。
【００９２】
これにより、従来の同種の施薬装置と比較してより長い時間、継続して薬物の放出を可能にした施薬装置を提供し、かつ、薬効の即効性や徐放性を制御し、或いは、薬物放出量や放出時期の制御を容易にした施薬装置を提供することができる。
【００９３】
さらにまた、例えば、施薬装置を貼り付ける皮膚や粘膜の状態が正常な表皮部位であるのか病的表皮の部位であるのかに応じて、成形体に施すプラズマ処理量を変え、貼付された部位によって薬効の即効性や徐放性を調節し、患者等に投与する薬物の薬効が現れる時間を調整するような施薬装置を提供することもできる。
【００９４】
或いは、また、例えば、表皮の損傷部や病的皮膚に対して施薬装置を使用するときは、表皮の損傷部や病的皮膚部では経表皮性の経路が主体となって薬物が吸収されることによる局所的な大量の薬物投与の有害反応を防止する必要がある。
【００９５】
このような皮膚の損傷部位や病的皮膚或いは皮膚や粘膜部に接する成形体の表面部においては、薬剤層の表面積を減らし、プラズマ処理量を増やして深い細孔や凹凸５を備えるようにプラズマ加工を施し、このプラズマ処理部３に薬剤層６を形成し、施薬装置１に徐放性を備えるようにするのが好ましい。
【００９６】
また、例えば、使用する薬物が副腎皮質ステロイド系の薬物のときも、プラズマ処理量を増やして深い凹凸部をもった細孔や凹凸５を形成し、このプラズマ処理部３に薬剤層６を形成し、深い細孔凹凸部５に保持された薬剤層６によって比較的徐々に薬物投与（徐放性を増加）できるようにすることが好ましい。
【００９７】
また、施薬装置１を貼設する皮膚や粘膜の部位に通気性を必要とするときは、成形体２に照射するプラズマ処理量をさらに増やして、プラズマ加工による細孔で通気性を高めた成形体２を用いて施薬装置１にすることが好ましい。
【００９８】
この種の施薬装置の特殊な応用例として、例えば、成形体２のプラズマ処理部３に薬剤層６を形成し、図示をしていないが、この薬剤層６の上に重ねて抗炎鎮痛剤等からなる薬剤層を形成して複数の薬剤層を有する施薬装置とすることも可能である。薬物４の種類や成形体２を構成する材料を選択し、プラズマ加工の条件を選択することにより、治療に用いる薬物４に対する患者の皮膚や粘膜の過敏度や患者の容態の変化に応じることができ、薬効の即効性や徐放性、薬効の時間的な継続性の制御と併せ、個々の患者の病状に適合するように薬物の量を調整し、薬物放出機能を強化し、調整した施薬装置を提供することができる。
【００９９】
換言すれば、患者等に薬物を投与するに際し、患者への薬物投与量や投与時間のみでなく、薬物に対する患者固有の免疫力、更には、患者等の身体の皮膚や粘膜の部位や患者等ごとの皮膚や粘膜の状態、体調、患者等ごとの治癒の状態や使用薬物に対する経過反応をみながら、個々の患者に供給する薬物の種類と量、薬物放出の速度や薬効の継続性を設定したテーラーメード型の施薬装置とすることができる。
【０１００】
特に、プラズマ処理部及び該プラズマ処理部に連続する成形体の表面のプラズマ未処理部を利用して薬剤層を形成すれば、薬物の放出量の制御や薬効の経時的な制御をしたＤＤＳの提供が一層容易になる。
【０１０１】
このような施薬装置１によれば、治療を開始し始めた段階では、患者等の抗炎症や鎮痛、殺菌等の機能を主に付与させた薬物４を供給することができるように機能させた施薬装置１とし、その後は所定の薬物投与量を保ちつつ、患部の治療の薬物４を主に投与するような薬物投与機能を具備させた施薬装置１とすることもできるなど、生体適合性や機能面において、従来の施薬装置と比較して著しく多様性に富んだＤＤＳ用の施薬装置を提供することができる。
【０１０２】
（実施例３）    図２は、材料の段階で予めプラズマ処理を施した材料を用いて形成された成形体を有する施薬装置の一例を示す断面図である。
【０１０３】
図２の施薬装置１は、成形体２を形成する前の段階でプラズマ処理を施された繊維を用いて成形体２を形成し、その成形体のプラズマ処理部（図示省略）で薬物４を保持した施薬装置である。
【０１０４】
図２において、成形体２は、例えば、有機材料の繊維による織布である。この成形体２は、繊維素材８、例えば、有機材料の繊維や糸（繊維素材）の段階で、予めプラズマ処理が施され、この繊維素材８を縦糸８１及び横糸８２にして織ったり、絡ませたりして、織布やフェルトのような成形体２に形成されている。
【０１０５】
この施薬装置１では、予めプラズマ処理を施した繊維素材８を用いて成形体２を形成しているので、成形体２の形成と同時に、成形体２を構成する繊維素材８の表面全体、すなわち、成形体２の内部及び外部にプラズマ処理部が形成される。この成形体２に薬物４を含浸させ、薬物４を塗布すると、比較的簡単にプラズマ処理部で薬物４を保持させた施薬装置１を作ることができる。
【０１０６】
この実施例の施薬装置１は、素材段階でプラズマ加工を施した後に、この素材を用いて成形体２を作り、薬物４を保持させるので、成形体２に形成した後にプラズマ処理を施す場合と比較して、成形体２に形成されるプラズマ処理量の調節が容易になり、薬物保持や薬効の制御に最適な量のプラズマ加工を施して、治療目的に適った薬物保持をした施薬装置を提供することができる。
【０１０７】
なお、この実施例３の成形体２においては、  施薬装置の構造や治療等の目的によって、プラズマ処理が施された素材のみを用い、或いは、プラズマ処理を施された素材とプラズマ処理を施されていない材料とを組合わせ、織布や不織布等の形の成形体２に加工し、この成形体２のプラズマ処理部に薬物４を保持させて施薬装置１とすることもできる。
【０１０８】
このような構造の成形体２では、繊維素材８のプラズマ処理部で薬物を保持し、このプラズマ処理部を基にして、プラズマ処理が施されていない繊維素材８の部分にも跨るようにして薬物４を保持して、施薬装置１を構成することができる。
【０１０９】
なお、上記した図２の説明では、繊維素材８に予めプラズマ処理を施す場合に、あたかも、材料の全体にプラズマ処理を施すような説明をしたが、材料の一部分だけにプラズマ処理を施した素材であっても、同様に成形体２を形成する材料として使用でき、実施例２と同様なＤＤＳ用の施薬装置１を提供できる。
【０１１０】
また、成形体２に用いられる材料も繊維素材や平板状のものに限らない。後述するような粒状の素材で構成された成形体や紐状の成形体を作る前にあらかじめプラズマ処理を施し成形体を構成すれば、本実施例の成形体が得られる。
【０１１１】
この実施例３のように、成形体２を形成する前の素材段階でプラズマ処理を施して形成された成形体を有する施薬装置は、成形体に効率良くプラズマ処理を施すことができるので、同様な機能や品質を有する施薬装置を大量に製造して提供するのに適している。
【０１１２】
また、この実施例３のように、繊維素材の成形体にプラズマ処理をした施薬装置は、体内組織になじみ易く、例えば、ポリ乳酸、ポリグリコール酸やその共重合体等の合成高分子を用いた施薬装置は、患者等の皮下に埋め込んで長期間にわたる薬物の投与を保つのに好適な施薬装置を提供できる。
【０１１３】
（実施例４）    図３は、通気性のある成形体を備えた施薬装置（マスク）の実施例を示す斜視図である。
【０１１４】
この実施例の施薬装置（マスク）１１は、成形体２が、通気性を有する織布等で作られており、成形体２を通過する空気中の塵埃や花粉等を機械的に濾過、清浄する空気濾過機能を有する施薬装置として構成されている。
【０１１５】
図３に示す成形体２は、木綿（有機材料）繊維を用い、通気性を有するように織られた薄い織布や不織布であり、全体の形状は、顔面に装着したときに、鼻腔や口腔を含む部分を成形体２で覆うのに十分な大きさを有している。
【０１１６】
一方、成形体２は、マスク１１を装着する顔面の鼻や口の凹凸になじむように、適度な柔軟性と厚みを有しかつ、十分な通気性を有するように重ね合わされて所期の形状に形成されている。
【０１１７】
この種の施薬装置（マスク）１１として最も簡易な構造は、木綿の繊維によるガーゼ状の薄い織布を数枚、重ね合わせて上述したような大きさの成形体２とし、これに耳掛け用のひも２０を付けて、成形体２を直接に顔面に装着できるようにしたものである。
【０１１８】
また、成形体２には、マスクを顔面に装着したときに、鼻腔や口腔を覆う部分、好ましくは鼻腔や口腔及びその周辺を覆う部分にプラズマ処理部３を有している。
【０１１９】
プラズマ処理部３において形成された多数の細孔や凹凸内には、成形体２の通気性を損なわないようにして、治療等の目的に合わせた防疫用の薬物や花粉吸収防止等の防疫用の薬物が含浸されて施薬装置（マスク）１１を構成している。
【０１２０】
プラズマ処理部３は、通常よりもプラズマ処理量を増やしたプラズマ照射が施され、図２で説明をしたように、予めプラズマ処理が施された繊維素材で織布を構成する等して細孔や凹凸が形成される。
【０１２１】
プラズマ処理量を増やせば、プラズマ処理部３は、成形体２の表面から内部にわたり、より多くの細孔や凹凸が形成され、プラズマによる蝕刻や除去が成形体２を構成する繊維や糸の束の表面や断面と絡み合って、更に細かな細孔や凹凸を有する複雑な断面形状を備えて通気性を増大させることができる。
【０１２２】
また、プラズマ処理を成形体２の両面から施せば、成形体２の片面からプラズマ処理を施すときと比べて、より効率良く、マスク１１に好適な機能のプラズマ処理部３を形成することができる。
【０１２３】
成形体２に通気性のあるプラズマ処理部３を形成し、このプラズマ処理部３で防疫用の薬物や花粉吸収防止等の薬物を保持させるときは、成形体２を通過する花粉や細菌等をプラズマ処理部３の細孔や凹凸に捕捉し、再放出できないようにし、プラズマ処理部３の薬物で死滅させ、変質させて無害化する機能を備えさせることができる。
【０１２４】
なお、細菌等を捕捉し、捕捉した細菌等をプラズマ処理部３の薬物で死滅させ、無害化する機能は、防疫用の薬物の種類にもよるが、成形体２に形成されたプラズマ処理部３の細孔や凹凸の数が多くかつ、これらの細孔や凹凸の形状が複雑であるほど強化される。
【０１２５】
これは、成形体２を通過する空気中に含まれる花粉や細菌等が、これらの細孔や凹凸の中に捕捉され易くなるからであり、かつ、プラズマ処理によって、不規則に形成された複雑な形状の細孔や凹凸は、捕捉した花粉や細菌等を再放出し難くする機能を有し、かつ、捕捉した細菌等をプラズマ処理部３に保持する薬物で死滅させ、変質させて無害化する機能が増すからである。
【０１２６】
図には示されていないが、プラズマ処理を施し防疫用の薬物を保持させた通気性のある成形体２を、通気性のあるマスクカバーの中に収めて施薬装置（マスク）でとしても良い。
【０１２７】
このような構成の施薬装置（マスク）は、図３で説明したようなマスク１１としての作用に加えて、薬効が低下したときや、別の用途のマスクとしての防疫機能を期するときには、マスクカバーに収納されている成形体を新しい薬物を有する成形体に交換し、新たな防疫等の目的の薬物を保持させた成形体をマスクカバーに収納して使用することにより、極めて簡便に、所期の機能や防護防疫の目的の施薬装置（マスク）を提供することができる。
【０１２８】
例えば、マスクカバーに取替え自在に収められた成形体は、成形体を構成する繊維が、塵埃や粒状浮遊物質を除去する機械的なフィルタ機能を備えると同時に、薬物が含浸されたプラズマ処理部では、あたかも、繊維そのものに抗アレルゲン剤が含浸された繊維と同様な機能を備えさせ、このような繊維によって成形体を構成して施薬装置（マスク）にすることもできるので、塵埃や花粉、その他のアレルゲン物質、汚染物質が混入している空気を、フィルタ濾過、浄化すると同時に、アレルギー活性化の抑制や不活性化する花粉症対応の防護施薬装置（マスク）を図３に示した実施例よりも一層簡単に提供することができるものである。
【０１２９】
この場合に、例えば、マスクの成形体を構成する繊維がプラズマ処理によって細孔や凹凸を形成し易い材料のときや、成形体を構成する有機材料が、プラズマ処理によって多孔質状になり易いときは、プラズマ処理部に各種の抗アレルゲン剤を保持させることも容易になる。
【０１３０】
抗アレルゲン剤をプラズマ処理部の細孔や凹凸に含浸させて保持させたマスクにおいては、前記したようにマスクを使用している間に、抗アレルゲン剤がプラズマ処理部から徐々に浸出するような薬物補給機能を付与することができ、従来の同様なマスクと比較して、より薬効の時間的継続性が高く、長い時間にわたって吸着力を保ち各種の態様の調製薬物と成形体とを組合わせて、多様性に富んだ防護マスクを提供することもできる。
【０１３１】
例えば、プラズマ処理部に抗アレルゲン剤やアレルギー不活化剤を保持させているときは、アレルゲン物質の吸着をした後の蛋白性アレルゲン物質について、アレルギー活性化の抑制あるいは不活化をし、或いは、アレルギー活性を持ったままでの再飛散を防止する機能を強化する等、アレルギー活性を抑制する機能の大きな施薬装置（マスク）を提供することができる。
【０１３２】
このような構成の施薬装置（マスク）によれば、空気中に浮遊する菌は、成形体によって保持された防疫用の薬物等により、機械的及び防疫的に濾過され、浄化され、また、防疫用の薬物を保持あるいは含浸された成形体のプラズマ処理部は、菌や菌が付着した塵埃を吸着除去し、かつ吸着除去した塵埃の再浮遊を抑制し、殺菌をする機能を成形体の厚みで随時調整できる施薬装置（マスク）を提供することができる。
【０１３３】
さらにまた、使用する薬物に関しても、上述した抗アレルギ剤の代わりに、成形体のプラズマ処理部に防疫用の薬物を含浸させれば、マスクは成形体を構成する繊維そのものに防疫用の薬物が含浸されたと同様な防護マスクとすることもできる。
【０１３４】
さらにまた、成形体は、この成形体を顔面に装着したときに、鼻腔や口腔等の口頭部を覆う大きさと鼻や口の凹凸になじむ適度の柔軟性とを有するような構造として説明をしたが、マスクカバーの構造が、有毒ガスの吸入を防ぐ防毒マスクや防災マスクのようにマスク自体が口頭部に直接に接して鼻腔や口腔等を覆う大きさと鼻や口の凹凸になじむ構造（図示省略）を有したマスクカバーであって、その中に成形体を装着する構成のときは、成形体は、必ずしも柔軟性を有する必要はない。
【０１３５】
このようなときは、成形体の柔軟性や大きさを、マスクカバーに装着して有毒ガスの吸入を防ぐに最も適した形状や強度になるようにしてプラズマ処理を施せば良い。
【０１３６】
また、花粉症対策や抗アレルギ機構の付与のように、防疫の目的や病状に個人差がある患者等に使用する施薬装置（マスク）とするときは、成形体に施すプラズマ処理量を調節して、細孔や凹凸の量や大きさを変え、マスクを装着する患者等の治療の目的に応じて個別に調合された調製薬物を成形体に保持させ、して、薬効を調整することができる。
【０１３７】
さらにまた、成形体のプラズマ処理部に含浸させた治療や防疫等の薬物を、マスクカバー内で放出させるように構成するときは、防疫や防護或いは種々の治療等の薬物を患者等の口腔や鼻腔の粘膜経由で体内に投与可能な施薬装置として提供することもできる。
【０１３８】
さらに他の実施例の施薬装置（マスク）として、成形体を構成する有機材料の全部または一部に、予めプラズマ処理を施した材料を用い、プラズマ処理による凹凸や多孔質を形成した材料で繊維や織布を作ることにより、成形体にプラズマ処理部を備えさせ、このようにして形成されたプラズマ処理部に治療や防疫の薬物を保持させることにより施薬装置を構成するようにしてもよい。
【０１３９】
このようなマスクは、成形体を構成している有機材料が、予め施されたプラズマ処理によって、材料の表面に全体的に細孔や凹凸を有しているので、織布などの形に成形した後に、再度、プラズマ処理をすることは必ずしも必要でなく、かつ、プラズマ処理部における薬物の保持部は、成形体の内部全体に及んで形成することができるので、より好適に、口腔や鼻腔経由で治療や防疫用の薬物を放出可能な施薬装置を提供することができるものである。
【０１４０】
この実施例の施薬装置（マスク）においても、前述した種々の実施例と同様に、薬剤層の厚みや広さ、或いは、薬剤層の形成を部分的に変えるようなプラズマ処理を施すことにより、薬効を長い時間継続させ、従来よりも薬効が高く、種々の機能を備えた施薬装置（マスク）を比較的簡便に提供することができる。
【０１４１】
（実施例５）    この実施例の施薬装置は、薬物を保持させた小さな粒状の成形素材の集合体である。
【０１４２】
すなわち、この実施例５においては、成形された粒状素材を多数個集めた集合体（この集合体を以下では、粒状成形体ともいう）が、上記した実施例１乃至３で説明をした成形体に相当する。
【０１４３】
粒状素材は、個々には、有機材料を素材として、１ｍｍ乃至十数ｍｍ、例えば、粟粒から大きな豆粒から程の大きさに成形したものであり、これらの素材の表面に形成されたプラズマ処理部に疾病治療等の薬物を保持させて施薬装置としたものである。
【０１４４】
図４は、このような粒状素材の一例を拡大して示す模式断面図である。
【０１４５】
粒状素材１０は、上述したと同様な有機材料を、例えば、予め、米粒程度の大きさの粒状に成形した後、粒状素材１０の表面の有機材料の一部を、プラズマ処理によって分解除去してプラズマ処理部３を形成したものである。
【０１４６】
プラズマ処理部３を粒状素材１０の表面全体に一様に作るときは、粒状素材１０を転がすように動かしながらその表面にプラズマ処理を施せばよい。
【０１４７】
粒状素材１０においても、照射するプラズマ処理の量を増やせば、その表面から内部にわたり、細孔や凹凸５が重なるようにして形成され、深い細孔や凹凸５を有したプラズマ処理部３が形成される。
【０１４８】
プラズマ処理部３を有する粒状素材１０を作る別の方法としては、図２で説明したように、予めプラズマ処理が施された繊維素材８で織布（成形体）２を形成した後、この織布を１ｍｍ乃至十数ｍｍの幅で縦横に切断すると、織布２はプラズマ処理部を有する繊維素材が絡まった、上記の切断幅の小さな粒状体になるので、これを篩にかけて、大きさを選定すれば、プラズマ処理部を有する一定の大きさの粒状素材を作ることができ、このようにして作った粒状素材１０の集合体でも、薬物を保持させることができる。
【０１４９】
このような粒状素材１０に治療等の薬物を保持させるには、織布２を切断する前の段階で、織布２に治療等の薬物を含浸させ、プラズマ処理部に安定的に薬物を保持させておけば、効率よく薬物を保持した粒状成形体が大量に得られる。
【０１５０】
また、このような粒状素材１０を形成後、薬物を保持させる前に、再度、プラズマ処理を施して粒状素材１０のプラズマ処理部に重ねてプラズマによる蝕刻を施し、更に深い細孔や凹凸を有するプラズマ処理部を粒状素材に形成した後に薬物を保持させても良い。
【０１５１】
なお、プラズマ処理を施す際に、粒状素材１０を転動させつつプラズマ照射をして素材の色々な面からプラズマ処理を施せば、粒状素材１０の一方向からプラズマ処理を施すときと比べて、より効率良く、所期の断面形状を持ったプラズマ処理部を形成することができる。
【０１５２】
予め薬物が保持されていないときは、粒状素材１０を形成した後に、治療用の薬物液に浸漬したり、薬物を塗布することにより、粒状素材１０の表面全体を包むようにコーティングした薬剤層６が形成さる。
【０１５３】
粒状成形体を用いた施薬装置１でも、治療用の薬物が粒状素材１０のプラズマ処理部３で保持された薬剤層６から供給される。
【０１５４】
粒状素材１０のプラズマ処理部３で保持された薬剤層６は、成形体の単位重量で比較すると、平板状の成形体のプラズマ処理部３に比較して、広いプラズマ処理部３を有しているので、このプラズマ処理部に形成される薬剤層６も広い薬物表面を有することができ、多量の薬物を安定して保持させ、治療対象部では多量の薬物を速やかに放出可能な施薬装置にすることができる。
【０１５５】
粒状素材１０によって薬物を保持して作られる施薬装置は、薬物を保持した粒状素材１０のままの散剤の形の施薬装置として使用することもできる。
【０１５６】
しかし、粒状素材１０のままの薬物は取扱が難しいので、ゲル状の媒体に粒状素材１０を分散させたパップ剤等として使用したり、流動性のある媒体に混在させて使用する方が扱い易い。
【０１５７】
また、飲食しても害のない有機材料で粒状素材を作り、この粒状素材で治療等の薬物を保持させた施薬装置は、患者等が口腔に含ませ、或いは、飲下するような使用形態の施薬装置にすることができる。
【０１５８】
施薬装置を飲下して使用するときは、消化器官内で粒状素材の薬剤層から薬物が放出され、治療用の薬物が消化器官内の粘膜を経由して体内に吸収させるようになり、治療効果の大きな施薬装置を提供することができる。
【０１５９】
例えば、施薬装置を飲下用として使用できるようにする時は、ゲル状または液体等、流動性のある媒体の中に粒状素材１０を分散させれば、薬物の取扱、患者等による飲下が容易な施薬装置にすることができる。
【０１６０】
粒状素材１０を飲下可能な施薬装置として使用する場合の有機材料としては、従来から飲食品として使用されている自然食品の主成分（天然有機化合物成分）を用いるのが良い。
【０１６１】
従来から食品として摂取されていた自然食品等の有機材料で作られた粒状素材等の成形体は、口腔経由で飲下し、消化器官内において消化されても、健康への害が少ない基剤として扱える蓋然性が高い。
【０１６２】
このような飲下可能な有機材料としては、例えば、自然食品中の天然有機化合物成分である、セルロース、ガラクトース、マンノン、マンノース、グルカン、リグニン、コラーゲン等の多糖類及びその誘導体或いはこれらを主成分とするコポリマー、例えば、リグニンセルロース等がある。
【０１６３】
粒状素材１０に形成される薬剤層６においても、図１で示したように、細孔や凹凸５の深さを部分的に変え、プラズマ処理を施していない成形体表面部とプラズマ処理部とにまたがって薬剤層６を形成して、薬剤層６の厚みを意図的に変えるようにすればより効果的である。
【０１６４】
粒状素材１０で保持される薬剤層６の厚みを調整すれば、粒状素材１０を用いた施薬装置においても、放出される薬物の量や薬効の継続する時間など、施薬装置から放出される薬物量を制御する機能を備えた施薬装置を提供することができる。
【０１６５】
また、成形体２に形成する薬剤層６は、治療等の薬物の薬剤層６に限らない。必要に応じて、制御薬剤層１３を形成してもよい。
【０１６６】
例えば、図４に示す施薬装置１は、治療等の薬剤層６の外側に、治療用の薬物の放出の時や放出量を制御する制御薬剤層１３を有している。
【０１６７】
薬剤層６の外側に制御薬剤層１３を形成した粒状素材１０においては、制御薬剤層１３によって、薬剤層６から放出される治療用薬物の量や放出時期の制御をして、薬物放出量や薬効の継続する時間の制御の機能を一層高めた施薬装置１を提供することができる。
【０１６８】
制御薬剤層１３を有する施薬装置は、例えば、使用を開始した後の一定時間、粒状成形体の代謝を抑制し、治療用薬物の放出を制限し、施薬してから一定の時間を経過したときに施薬装置から薬物が放出されるようにする等、薬物の施薬制御機能を強化することもできる。
【０１６９】
施薬装置の使用開始後のいつの時点から薬物放出が始まり、どれ位の時間、継続して薬物の放出をさせるような機能を付与するかは、患者の消化能力など個人差によっても影響を受けるので、治療目的や患者等の個人差に応じて調整するのが好ましい。
【０１７０】
換言すれば、施薬装置１による薬物放出の機能の調整は粒状成形体１を構成する粒状素材１０に用いられる有機材料の種類、有機材料が体内で消滅する時間や消化器官内で消化される度合（消化難易度）、成形体２を構成する粒状素材１０の大きさ、粒状素材１０に形成されたプラズマ処理部３の細孔や凹凸の深さ等のプラズマ処理量、プラズマ処理部で保持される薬物の種類や薬剤層６の厚さ、或いは、制御薬剤層１３の種類や制御薬剤層１３の厚みによって異なってくる。
【０１７１】
例えば、分解性或いは消化性の極めて悪い有機材料、例えば、リグニンやリグノセルロースを使用して粒状素材１０を作り、これに上述したようなプラズマ処理を施して施薬装置を作れば、粒状素材１０が分解されたり、消化されるのに極めて長い時間を要し、その粒状素材１０の大きさによっては未分解或いは未消化のまま体外に排出させるようにすることもできる。
【０１７２】
難消化性の材料で作られた粒状成形体を用いた施薬装置であれば、プラズマ処理部の形成、薬剤層の形成、制御薬剤層の形成の態様によっては、この施薬装置を使用している（施薬装置が体内に留まっている）間中、継続して薬物４を消化器官内に放出するようにするように構成することができる。
【０１７３】
また、消化器官中での分解性や消化性が、やや悪い有機材料、例えば、マンノースやグルカンを材料にして粒状素材１０を作り、その粒状素材１０の大きさを、豆粒とかそれよりもやや大きな粒にして上述のような施薬装置にすれば、この粒状素材１０は粟粒のような小さな粒径の粒状素材１０によって構成された施薬装置と比較して、消化される時間が長くなり、それに応じて薬物の放出時間も長くなる。従って、形成する粒状素材１０の大きさを調整することによりこの粒状素材１０が消化されずに体内にある時間を調整して粒状素材１０で保持されている薬物４の放出継続時間を制御することもできる。
【０１７４】
これに対して、比較的消化の良い、或るいは、体内における分解性の良い有機材料製の粒状素材で保持された薬物は、患者等に施薬後の比較的早いときに薬物の放出が終了する。
【０１７５】
このような基剤は、消化性の違う基剤で説明したが、体内に埋設して分解される高分子材料（以下では生体内分解性有機材料ともいう）を基剤として用いる場合も全く同様に機能させることができる。
【０１７６】
粒状の施薬装置において、難消化性や難分解性の材料を用いた粒状素材１０のプラズマ処理部に保持された薬物は、患者等に投与した後、プラズマ処理部の細孔や凹凸が分解して消滅するまでに時間を要するので、プラズマ処理部の細孔や凹凸に保持されている薬物が完全に放出されるのに時間がかかり、その時間の間、薬物の放出がなされるようにもできる。
【０１７７】
このようにして、体内における消化性や分解性の割合が違う複数の有機材料を用いて粒状素材１０を形成し、これら複数の材料による粒状素材１０を組合せた施薬装置では、プラズマ処理部３で保持された薬物の放出時期や放出継続時間を各粒状素材ごと、換言すれば、治療に使用する薬物の種類ごとに制御して放出させるような機能を有するＤＤＳ用の施薬装置を提供することもできる。
【０１７８】
（実施例６）    図５は、粒状素材１０を流動性の媒体１４の中に混在させた施薬装置の実施例を示す断面図である。
【０１７９】
粒状成形体で薬物を保持した施薬装置は、実施例５のように、散剤や顆粒剤のままでも使用可能であるが、散剤や顆粒剤のような形態では、粒状素材１０が、仮に飲食可能な物質で作られた施薬装置であったとしても、口腔から飲下することは容易ではない。
【０１８０】
実際に患者等に飲下させ、消化器官内で薬物を効果的に放出させるようにするときは、薬物４を保持した粒状素材１０を流動性のある媒体１４に混在させて施薬装置とする方が、扱い易くなる。
【０１８１】
図５において、薬物を保持している粒状素材１０は、例えば、液状媒体或いはゼリーやゼラチン状の半流動性媒体１４の中に混在され、粒状素材１０と媒体とが混じった粥状或いは半流動性の施薬装置１になっている。なお、１６はこのような流動体や半流動体の施薬装置１を入れた容器である。
【０１８２】
流動性媒体１４の中に混在された粒状素材１０で治療用薬物４を保持した施薬装置１であれば、十数ｍｍ位の粒状素材であっても流動性媒体と共に、口腔から飲下する際の困難性は少ない。
【０１８３】
施薬装置の成形体２を構成する粒状素材１０の大きさは、実施例５と同様、大豆から粟粒程度の大きさの粒径が好ましく、薬剤層は、治療用の薬剤層６や制御薬剤層１３を有した粒状素材１０を使用される。
【０１８４】
また、治療用の薬物の種類や量の調整或いは、薬物４の放出量や放出時期の制御も、実施例５と同様に行なわれる。このようにして得られた粒状成形体が流動性媒体１４の中に混在されて施薬装置となっている。
【０１８５】
この実施例の施薬装置において、薬物を保持した粒状素材を分散して保持する媒体の化学的な組成を選択し、媒体中にも治療用の薬物を溶解し混入させた施薬装置とすれば、患者が、治療のために、この施薬装置を口腔に含んだ段階で、媒体中に含まれていた治療用薬物が、まず、口腔粘膜を経由して体内に投与され始める。
【０１８６】
次いで、これらの媒体と共に粒状素材を飲下すれば、消化器官中で薬物の放出がなされ、食道の粘膜経由で薬物の投与が続けられる。
【０１８７】
飲下された施薬装置が、食道を経て胃に至ると、媒体からの薬物投与と合わせて粒状素材からの薬物投与が始まり、更に腸粘膜に至るまで薬物の投与が継続されるようにすることもできる等、粒状素材の薬剤層の薬物と媒体からの薬物との双方から治療用の薬物が消化器官内で放出され、体内に吸収される。
【０１８８】
この場合に、口腔粘膜からの吸収と食道を経て胃に流れ込む際に食道や胃の粘膜からの吸収とでは時間差があるので、治療の目的によっては、投与する薬物の種類を変え、複数の薬物を順序だてて体内に投与することにより、一層効果的な治療を施す施薬装置にすることも可能である。
【０１８９】
また、同じ薬物を使用するときは、施薬装置を使用した直後から口腔および消化管の粘膜経由で治療用薬物の投与が開始され、粒状素材の材質や粒径で設定された時間、継続して治療用の薬物の放出を可能にした施薬装置を提供することができる等、口腔に含んだ直後から薬効を期すような即効性を備えさせ、かつ、その後は、長い時間にわたって薬物の投与を継続できるような施薬装置にすることもできる。
【０１９０】
更に、胃や腸の内部においては、粒状素材が消化されるの割合に応じてプラズマ処理部が変形し、薬剤層の外側の制御薬剤層が機能することによって、粒状成形体で保持された薬物は、予め決められた制御内容に従って消化器官内に放出され、胃の粘膜或いは腸粘膜を経由して体内に吸収される。
【０１９１】
この場合に、施薬装置の使用開始後のいつの時点から薬物の放出が始まり、どれ位の時間、継続して薬物の放出をさせるような機能を付与するかは、前述した実施例５と同様、患者等の消化器官の消化能力などの個人差にもよる。また、粒状素材を構成する有機材料の種類や粒状素材の大きさやプラズマ処理量によって生じる消化分解の程度によって異なる。
【０１９２】
粒状素材を構成する有機材料の種類や大きさ、プラズマ処理部の構造等によっては、飲下後、粒状素材が体外に排出されるまでの間中、消化管中に薬物を継続して放出するようにした施薬装置にすることもできる。
【０１９３】
さらにまた、粒状素材を構成する有機材料の種類を選択することによって、治療用薬物の放出時期や薬物の放出継続時間の調整をし、異なる有機材料で作られた粒状素材毎に異なる治療用薬物を保持させることによって、消化器官中の最も適した部位において、所期の薬物の放出がなされ、必要な治療用薬物が消化器粘膜を介して体内に投与されるように制御することもできる。
【０１９４】
この実施例６の施薬装置を飲下して使用する場合に、薬物を保持した粒状素材が、ゲル状態の媒体に混在された施薬装置の場合は、ゾル状態の施薬装置のように一気に飲むよりも多少は咀嚼する動作を伴いつつ飲下されることもある。しかし、媒体には、多量の粒状素材が混在されているので、丹念に咀嚼しない限りは、殆どの粒状素材は、変形されないで飲下されて消化器官中に流れ込み、その薬物投与機能が著しく損なわれることもない。また、成形体を分散させる媒体は、ゾル状の媒体でもゲル状の媒体でも実質的な差なしに機能させることができるが、好ましくは、粒状素材が大きいときは、小さな粒の粒状素材のときよりも流動性を少なくした方が、飲下時の抵抗感を緩和させることができる。
【０１９５】
また、薬物放出量の制御機能を強化するために、治療用の薬剤層の外側に制御薬剤層を形成した施薬装置１を作る場合は、例えば、粒状素材に設けられたプラズマ処理部の治療用薬剤層の外側に、耐酸性の薬剤層を形成し、特定の消化酵素に耐性のある薬剤層を制御薬剤層として形成して、施薬装置を飲下後の胃内での制御薬剤層の消化、消滅量を制御させるようにすれば、胃の中やその他の器官中では、制御薬剤層によって、治療用薬剤層が保護され、治療用の薬物の放出が僅かしか行なわれないような施薬装置にすることができる。
【０１９６】
その後、施薬装置が、胃から腸側に送られ、消化器官内の特定の部位にきた後に、制御薬剤層が消滅して、治療用の薬物の放出が始まるような制御薬剤を用いれば、例えば、小腸粘膜において集中的に治療用の薬物の放出がなされ、体内に吸収されるようにすることもできる。
【０１９７】
このように、有機材料や粒状成形体を形成し、プラズマ処理部で治療用薬物を保持させた粒状成形体を媒体に分散させた構成とすることにより、消化器官内で薬物を放出し、消化器官の粘膜経由で治療用薬物を投与することができるようにした施薬装置は、患者等に治療用の薬物を飲下させ易く、消化器官内での薬物の放出量の制御機能を備えた施薬装置を簡便に提供することができる。
【０１９８】
また、所期の消化管において治療用薬物を放出させ、該器官の粘膜を介して治療用薬物の投与ができるので、従来の施薬装置にくらべて、分子量の大きな薬物についても、体内への投与が可能になるものであり、従来の施薬装置と比較して、投与できる治療用薬物種が増大し、薬物投与機能を強化する等、薬物投与制御機能を向上させ、応用範囲が広く、治療効果の高い施薬装置を提供できる。
【０１９９】
（実施例７）    この実施例の施薬装置は、飲食可能な有機材料或いは生体内分解性有機材料を使用して作られた多孔質の粒状素材の集合体を成形体とし、この成形体で薬物を保持させた施薬装置である。
【０２００】
すなわち、この実施例においては、発泡成形された粒状素材のプラズマ処理部で薬物を保持し、このような粒状成形体を多数個集めた集合体が、上記の実施例５及び実施例６で説明をした成形体に相当させた施薬装置である。
【０２０１】
粒状素材は、実施例５及び実施例６で説明をしたと同様に、個々には、有機材料を素材として、１ｍｍ乃至十数ｍｍ、例えば、粟粒から大きな豆粒から程の大きさに成形したものであり、これらの素材を発泡処理するなどして得られた多孔質の粒状素材の小孔に疾病治療等の薬物を保持させて施薬装置としたものである。
【０２０２】
図６は、このような施薬装置を構成する粒状素材の一例を拡大して示す模式断面図である。
【０２０３】
粒状素材１０は、上述した生体内分解性有機材料を用いて粒状素材１０に成形する前、又は粒状に成形する際に発泡剤を加えたり、プラズマ処理を用いて、内部及び表面部に小孔１７を多数個有した多孔質或いはスポンジ状の粒状素材１０に成形し、このようにして得られた粒状素材である。素材の大きさは、例えば、米粒程度の大きさの粒状に成形され、その後、粒状素材１０の小孔や粒状素材の表面のプラズマ処理部に薬物を保持させた施薬装置である。
【０２０４】
この場合に、小孔１７は、相互に連通し、粒状素材の表面の凹凸１５と連通するようにして形成されていれば、これらの凹凸や小孔に薬物を保持させ易くなる。
【０２０５】
多孔質性の粒状素材１０を作る別の方法としては、体内分解性有機材料を繊維状に加工し、この繊維状の素材で織布を形成（図２参照）した後、数ｍｍ幅の切断線（例えば、図２の９）によって、この織布を１ｍｍ乃至十数ｍｍの幅で縦横に切断し、繊維素材が絡まった小さな粒の粒状素材１０とし、この粒状素材１０の集合体で、薬物を保持する成形体を構成させてもよい。
【０２０６】
このような粒状素材１０に治療等の薬物を保持させるには、織布２を切断する前の段階で、織布２に治療等の薬物を含浸させ、織布の繊維間に安定的に薬物を保持させておけば、効率よく薬物を保持した粒状成形体が得られる。
【０２０７】
この後、必要に応じて更に、粒状素材１０を治療用の薬物液に浸漬し、薬物を塗布し、することにより、粒状素材の表面全体を包むように、薬剤層６を形成させ、薬剤層６の外側に制御薬剤層１３を形成させてもよい。
【０２０８】
この実施例の粒状成形体を用いた施薬装置１では、治療用の薬物が粒状素材の表面のプラズマ処理部の凹凸１５で保持された薬剤層６や小孔１７中の薬物から供給される。多孔質の粒状素材の内部の細孔や表面の凹凸部で保持された薬物は、成形体の単位重量で比較すると、平板状の成形体のプラズマ処理部３に比較して、広い薬物保持部を有しているので、この内部の小孔や表面の細孔や凹凸によって多量の薬物を安定して保持させることができ、施薬後は、治療対象部で薬物を制御して放出可能な施薬装置にすることができる。
【０２０９】
施薬装置１による薬物放出機能の調整は、粒状成形体を構成する粒状素材１０に用いられる有機材料が消化器官内で消化され、或いは、体内で分解される割合（分解度）の違い、薬剤層６の外側の制御薬剤層１３の種類或いは制御薬剤層１３の厚みや粒状素材１０の大きさ及び粒状素材１０に形成された小孔部１７の大きさや凹凸部１５の深さ等によって異なってくる。
【０２１０】
多孔質の粒状素材１０で薬物４を保持した施薬装置１は、素材の集合物によって得られる散剤や顆粒剤のままでも使用した施薬装置としても、また、実施例６のように、粒状素材１０を流動性の媒体１４の中に混在させて施薬装置としても提供できる。
【０２１１】
このような施薬装置１は、例えば、患者等が口腔から飲下した後、消化器官内で時間をかけて徐々に分解し、消化されるように構成でき、粒状素材１０の分解や消化が徐々に進むに従って、多孔質の素材の小孔部１７や凹凸部１５の中に保持されていた治療用薬物４が僅かずつ消化器官内で放出されるようになる。
【０２１２】
このような粒状素材１０を用いた施薬装置１は粒状素材を構成する材料の種類や成形体を形成する際の発泡の割合（多孔質度）によっても消化の速度を変化させることができ、使用する有機材料や形成される小孔の大きさや発泡割合を調整することによって、例えば、胃の中では、殆ど粒状素材の消化がなされずに薬物が保持されたまま腸へ送られ、腸内において徐々に消化が進むにつれて薬物が放出され、腸粘膜を経由して薬物が体内に投与されるようにした施薬装置１を提供することができる。
【０２１３】
この実施例の粒状成形体は、実施例５及び６で説明した粒状成形体と異なり、プラズマ処理部の小孔や凹凸部に加えて、多数の小孔でも薬物を保持しているので、この実施例の粒状成形体による薬物放出やその制御は、実施例５及び６と同様な機能に加えて、個々の作用は、これらの実施例よりもより一層確実に機能するＤＤＳ用の施薬装置を提供できるものである。
【０２１４】
【発明の効果】
以上のように、本発明によれば、施薬装置を構成する成形体に有機材料を用い、かつ、この成形体の表面に形成したプラズマ処理部の凹凸や細孔によって、治療等のための薬物を保持させるようにしたので、薬物の放出量を制御して薬効の即効性や徐放性の機能を備え、かつ、薬物の投与が長期間にわたって継続されるようにし、薬物の放出の時期や患者等の体内に投与される薬物の量を経時的に簡便に制御するＤＤＳ用の施薬装置を提供することができる。
【図面の簡単な説明】
【図１】本発明による施薬装置の一例をモデル的に示す断面図である。
【図２】材料の段階で予めプラズマ処理を施した材料を用いて形成された成形体を有する施薬装置の一例を示す断面図である。
【図３】通気性のある成形体を備えた施薬装置（マスク）の実施例を示す斜視図である。
【図４】施薬装置を構成する粒状素材の一例を拡大して示す模式断面図である。
【図５】粒状素材を流動性の媒体の中に混在させた施薬装置の実施例を示す断面図である。
【図６】施薬装置を構成する多孔質の粒状素材の一例を拡大して示す模式断面図である。
【符号の説明】
１    施薬装置
２    成形体
３    プラズマ処理部
４    薬物
５    細孔や凹凸
６    薬剤層
７    プラズマ処理のない成形体表面部
８    繊維素材
９    切断線
１０    粒状素材
１１    マスク
１３    制御薬剤層
１４    流動性媒体
１５    凹凸部
１６    容器
１７    小孔部
２０    ひも
【図１】
2004215774.tif 000003
【図２】
2004215774.tif 000004
【図３】
2004215774.tif 000005
【図４】
2004215774.tif 000006
【図５】
2004215774.tif 000007
【図６】
2004215774.tif 000008